(57)【特許請求の範囲】
【請求項１】
液透過性の表面シート、液不透過性の裏面シート及びこれら両シート間に介在する液保持性の吸収体を具備し、股下部の中心部から腹側部よりの位置を着用物品の幅方向に横切るようにレッグ部弾性部材が配されているパンツ型の使い捨て着用物品を、複数個包装材で包装してなり、該使い捨て着用物品は、隣接する一方の着用物品の腹側部と他方の着用物品の背側部とを対向させて包装されている使い捨て着用物品の包装構造において、
上記使い捨て着用物品は、何れも、上記股下部が、該股下部を横切るレッグ部弾性部材が表面に位置するようにして背側部に向けて折り返されていることを特徴とする使い捨て着用物品の包装構造。
【請求項２】
上記股下部の折り返されている部分は、該股下部が折り返された使い捨て着用物品の長さＬ１が、展開状態の使い捨て着用物品の半分の長さＬに対して２５〜７５％となるような長さで折り返されている請求項１記載の使い捨て着用物品の包装構造。
【発明の詳細な説明】
【０００１】
【発明の属する技術分野】
本発明は、使い捨て着用物品のフィット性、装着感及び見栄えを低下させることがない使い捨て着用物品の包装構造に関する。
【０００２】
【従来の技術及び発明の解決しようとする課題】
従来より、図４及び５に示すように、パンツ型の使い捨ておむつ１１０は、その腹側部Ａの表面シート側と背側部Ｂの表面シート側とが当接するように折り畳み、股下部Ｃを折り返し、１のおむつの腹側部Ａと他のおむつの背側部Ｂとが当接するように複数個配設した後、包装材１２０で包装してなる使い捨ておむつの包装構造の形態で市販などされている。
【０００３】
しかし、従来の包装構造では、図４及び５に示すように、おむつの股下部Ｃの中心部から腹側部Ａよりの位置をおむつの幅方向に横切るように、レッグ部弾性部材１１６が設けられていたこと、及び製造工程上の理由から、使い捨ておむつの股下部が腹側部に向けて折り返されていた。
しかし、このように、腹側部Ａに向けて折り返されていると、腹側部Ａ及び背側部Ｂにおいており癖がついてしまい、この折り癖のために、使い捨ておむつの着用時に特におしりの部分に出っ張りが生じて、フィット性、装着感及び見栄えの低下を引き起こすという問題があった。
【０００４】
従って、本発明の目的は、使い捨て着用物品のフィット性、装着感及び見栄えを低下させない、使い捨て着用物品の包装構造を提供することにある。
尚、本発明における着用物品の例としては、ベビー用又は成人用のおむつ、失禁用パンツ、トレーニングパンツの他、生理用ショーツ、ショーツ型ナプキン等を挙げることができる。
【０００５】
【課題を解決するための手段】
本発明は、液透過性の表面シート、液不透過性の裏面シート及びこれら両シート間に介在する液保持性の吸収体を具備し、股下部の中心部から腹側部よりの位置を着用物品の幅方向に横切るようにレッグ部弾性部材が配されているパンツ型の使い捨て着用物品を、複数個包装材で包装してなり、該使い捨て着用物品は、隣接する一方の着用物品の腹側部と他方の着用物品の背側部とを対向させて包装されている使い捨て着用物品の包装構造において、上記使い捨て着用物品は、何れも、上記股下部が、該股下部を横切るレッグ部弾性部材が表面に位置するようにして背側部に向けて折り返されている使い捨て着用物品の包装構造を提供することにより上記目的を達成したものである。
【０００６】
【発明の実施の形態】
以下、本発明の使い捨て着用物品の包装構造の好ましい１実施形態について説明する。
【０００７】
図１〜３に示す本発明の使い捨て着用物品の実施形態としての使い捨ておむつの包装構造１は、液透過性の表面シート１１、液不透過性の裏面シート１２及びこれら両シート１１，１２間に介在する液保持性の吸収体１３を具備し、股下部Ｃの中心部Ｃ１（図３参照）から腹側部Ａよりの位置をおむつの幅方向に横切るようにレッグ部弾性部材１６が配されているパンツ型の使い捨ておむつ１０を、複数個包装材２０で包装してなり、使い捨ておむつ１０は、隣接する一方のおむつの腹側部Ａと他方のおむつの背側部Ｂとを対向させて包装されている。
【０００８】
而して、上記使い捨ておむつは、何れも、上記股下部Ｃが、該股下部Ｃを横切るレッグ部弾性部材１６が表面に位置するようにして背側部Ｂに向けて折り返されている。
【０００９】
更に詳述すると、本形態における使い捨ておむつ１０は、図１から図３に示すように、腹側部Ａの左右両側縁部Ａ１，Ａ２と背側部Ｂの左右両側縁部Ｂ１，Ｂ２とが接合されてなる通常のパンツ型の使い捨ておむつである。また、図２及び３に示すように、レッグ部弾性部材１６は、それぞれ、一のレッグ部１５（レッグ部１５’）の腹側部Ａ側の端縁から、股下部の中心部Ｃ１の腹側部よりの位置でおむつをその幅方向に横切り、他のレッグ部１５’（レッグ部１５）の背側部Ｂ側の端縁にかけて配されている。また、用いられる形成材料等は、通常公知のものが特に制限なく用いられる。
また、本形態においては、各使い捨ておむつ１０は、それぞれ腹側部Ａの表面シート１１と背側部Ｂの表面シート１１とを当接させて、厚みの薄い扁平形状となるように畳んだ後、股下部が折り返されている。
【００１０】
また、包装材２０も通常使い捨ておむつの包装材として用いられるものを特に制限なく用いることができ、包装材により形成される包装袋２１も通常のものと同様に違和感を与えることがない長方体型状で、上部に取っ手２２が付いた形態である。
【００１１】
使い捨ておむつにおける股下部Ｃの折り返される部分は、使い捨ておむつを横切るレッグ部弾性部材が表面に位置するような長さであればよいが、腹側部Ａの表面シート１１と背側部の表面シート１１とが当接するように畳まれた使い捨ておむつの長さ（図３に示す、展開状態の使い捨ておむつの半分の長さＬに等しい）に対して、折り返された使い捨ておむつ１０の長さ（図２のＬ1 ）が、２５〜７５％となるような長さで折り返すのが好ましい。
【００１２】
上述の如く構成されてなる本形態の使い捨ておむつの包装構造１は、包装構造において使い捨ておむつの背側部におり癖が付きにくいため、フィット性、装着感及び見栄えの低下を引き起こすといった問題が生じにくいものである。
【００１３】
本形態の使い捨ておむつの包装構造は、常法に従って製造した使い捨ておむつ１０の股下部Ｃを背側部Ｂ側に向けて折り返した後、常法に従って包装材２０で形成した包装袋２１中に複数個封入することにより、得ることができる。
【００１４】
尚、本発明の使い捨て着用物品の包装構造は、上述の形態に制限されず、本発明の趣旨を逸脱しない範囲で種々変更が可能である。
例えば、背側部に使い捨ておむつの廃棄時止着用の廃棄テープを備えた使い捨ておむつを用いることもできる。この場合には、上述した効果に加えて更に廃棄テープが捲れるなどして粘着部の粘着力が低下し廃棄テープの不良が生じるのを防止することができる。
【００１５】
【発明の効果】
本発明の使い捨て着用物品の包装構造は、フィット性、装着感及び見栄えを低下させることがないものである。
【図面の簡単な説明】
【図１】図１は、本発明の使い捨て着用物品の包装構造の好ましい１実施形態としての使い捨ておむつの包装構造の実施形態を示す内部透視正面図である。
【図２】図２は、図１に示す包装構造における使い捨ておむつを示す平面図である。
【図３】図３は、図２に示す使い捨ておむつの一部破断展開図である。
【図４】図４は、従来の使い捨ておむつの包装構造を示す内部透視正面図（図１相当図）である。
【図５】図５は、図４に示す包装構造における使い捨ておむつを示す平面図である。
【符号の説明】
１    使い捨ておむつの包装構造
１０    使い捨ておむつ
１１    表面シート
１２    裏面シート
１３    吸収体
２０    包装材
２１    包装袋
２２    取っ手
【図１】
0003844601.tif 000002
【図２】
0003844601.tif 000003
【図３】
0003844601.tif 000004
【図４】
0003844601.tif 000005
【図５】
0003844601.tif 000006